【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
ユーザに装着され、前記ユーザの耳に向けて音を出力する出力ユニットと、
前記ユーザの耳に装着され、前記出力ユニットから出力された音を収音するマイクユニットと、
前記出力ユニットに対して測定信号を出力するとともに、前記マイクユニットから出力された収音信号を取得するユーザ端末と、
前記ユーザ端末と通信可能なサーバ装置と、を備えた頭外定位フィルタ決定システムであって、
前記ユーザ端末は、
前記出力ユニットと前記マイクユニットとを用いて前記ユーザの耳の外耳道伝達特性に関する測定データを測定する測定部と、
前記測定データに基づくユーザデータを前記サーバ装置に送信する送信部を備え、
前記サーバ装置は、
音源から被測定者の耳までの空間音響伝達特性に関する第１のプリセットデータと、前記被測定者の耳の外耳道伝達特性に関する第２のプリセットデータとを対応付けて記憶するデータ格納部であって、複数の被測定者に対して取得された複数の前記第１及び第２のプリセットデータを記憶するデータ格納部と、
前記ユーザデータと、複数の前記第２のプリセットデータとを比較する比較部と、
前記比較部での比較結果に基づいて抽出された第２のプリセットデータに対応する被測定者の第１のプリセットデータを抽出する抽出部と、を備え、
前記比較部は、前記ユーザデータと前記第２のプリセットデータについて、前記ユーザと前記被測定者の外耳道伝達特性の所定の周波数以上の周波数振幅特性に基づく第１の特徴量、及び前記所定の周波数未満の周波数振幅特性に基づく第２の特徴量をそれぞれ取得し、
前記比較部は、前記ユーザデータの前記第１及び第２の特徴量を、前記第２のプリセットデータの前記第１及び第２の特徴量とそれぞれ比較して類似度スコアを算出し、
前記比較部は、前記類似度スコアに基づいて前記第２のプリセットデータを抽出し、
前記所定の周波数が１ｋＨｚから３ｋＨｚまでの周波数である頭外定位フィルタ決定システム。
【請求項２】
前記サーバ装置は、前記抽出部で抽出された前記第１のプリセットデータをユーザ端末に送信し、
前記ユーザ端末は、前記第１のプリセットデータに応じた空間音響フィルタと、前記測定データに基づく逆フィルタとに基づいて頭外定位処理を行う請求項１に記載の頭外定位フィルタ決定システム。
【請求項３】
前記データ格納部は、音源から前記被測定者の左耳までの空間音響伝達特性に関する第１のプリセットデータと、音源から前記被測定者の左耳の外耳道伝達特性に関する第２のプリセットデータとを対応付けて、左耳のデータセットとして記憶しており、
前記データ格納部は、音源から前記被測定者の右耳までの空間音響伝達特性に関する第１のプリセットデータと、音源から前記被測定者の右耳の外耳道伝達特性に関する第２のプリセットデータとを対応付けて、右耳のデータセットとして記憶しており、
前記比較部は、前記ユーザの左耳の外耳道伝達特性に関する測定データに基づくユーザデータを、前記左耳のデータセットの前記第２のプリセットデータ、及び前記右耳のデータセットの前記第２のプリセットデータとそれぞれ比較し、
前記第１のプリセットデータは、前記空間音響伝達特性の前記被測定者の左耳と右耳との時間差である遅延量を含む、
請求項１、または２に記載の頭外定位フィルタ決定システム。
【請求項４】
ユーザの耳の外耳道伝達特性に関する測定データに基づくユーザデータを取得する取得部と、
音源から被測定者の耳までの空間音響伝達特性に関する第１のプリセットデータと、前記被測定者の耳の外耳道伝達特性に関する第２のプリセットデータとを対応付けて記憶するデータ格納部であって、複数の被測定者に対して取得された複数の前記第１及び第２のプリセットデータを格納するデータ格納部と、
前記ユーザデータと、複数の前記第２のプリセットデータと、を比較する比較部と、
前記比較部での比較結果に基づいて抽出された第２のプリセットデータに対応する被測定者の第１のプリセットデータを抽出する抽出部と、を備え、
前記比較部は、前記ユーザデータと前記第２のプリセットデータについて、前記ユーザと前記被測定者の外耳道伝達特性の所定の周波数以上の周波数振幅特性に基づく第１の特徴量、及び前記所定の周波数未満の周波数振幅特性に基づく第２の特徴量をそれぞれ取得し、
前記比較部は、前記ユーザデータの前記第１及び第２の特徴量を、前記第２のプリセットデータの前記第１及び第２の特徴量とそれぞれ比較して類似度スコアを算出し、
前記比較部は、前記類似度スコアに基づいて前記第２のプリセットデータを抽出し、
前記所定の周波数が１ｋＨｚから３ｋＨｚまでの周波数である
頭外定位フィルタ決定装置。
【請求項５】
ユーザの耳の外耳道伝達特性に関する測定データに基づくユーザデータを取得するステップと、
音源から被測定者の耳までの空間音響伝達特性に関する第１のプリセットデータと、前記被測定者の耳の外耳道伝達特性に関する第２のプリセットデータとを対応付けて、複数の被測定者に対して取得された複数の前記第１及び第２のプリセットデータを記憶するステップと、
前記ユーザデータと、複数の前記第２のプリセットデータと、について、前記ユーザと前記被測定者の外耳道伝達特性の所定の周波数以上の周波数振幅特性に基づく第１の特徴量、及び前記所定の周波数未満の周波数振幅特性に基づく第２の特徴量をそれぞれ取得するステップであって、前記所定の周波数が１ｋＨｚから３ｋＨｚまでの周波数であるステップと、
前記ユーザデータの前記第１及び第２の特徴量を、前記第２のプリセットデータの前記第１及び第２の特徴量とそれぞれ比較するステップと、
前記比較した結果に基づき類似度スコアを算出するステップと、
前記類似度スコアに基づいて前記第２のプリセットデータを抽出するステップと、
抽出された第２のプリセットデータに対応する被測定者の第１のプリセットデータを抽出するステップと、
を含む頭外定位フィルタ決定方法。
【請求項６】
コンピュータに、
ユーザの耳の外耳道伝達特性に関する測定データに基づくユーザデータを取得するステップと、
音源から被測定者の耳までの空間音響伝達特性に関する第１のプリセットデータと、前記被測定者の耳の外耳道伝達特性に関する第２のプリセットデータとを対応付けて、複数の被測定者に対して取得された複数の前記第１及び第２のプリセットデータを記憶するステップと、
前記ユーザデータと、複数の前記第２のプリセットデータと、について、前記ユーザと前記被測定者の外耳道伝達特性の所定の周波数以上の周波数振幅特性に基づく第１の特徴量、及び前記所定の周波数未満の周波数振幅特性に基づく第２の特徴量をそれぞれ取得するステップであって、前記所定の周波数が１ｋＨｚから３ｋＨｚまでの周波数であるステップと、
前記ユーザデータの前記第１及び第２の特徴量を、前記第２のプリセットデータの前記第１及び第２の特徴量とそれぞれ比較するステップと、
前記比較した結果に基づき類似度スコアを算出するステップと、
前記類似度スコアに基づいて前記第２のプリセットデータを抽出するステップと、
抽出された第２のプリセットデータに対応する被測定者の第１のプリセットデータを抽出するステップと、
を実行させるプログラム。
【請求項７】
前記比較部は、前記ユーザデータの前記第１及び前記第２の特徴量を前記第２のプリセットデータの前記第１及び第２の特徴量とそれぞれ比較し、所定の重み付けをして前記類似度スコアを算出する、請求項１、２、または４に記載の頭外定位フィルタ決定システム。